(57)【特許請求の範囲】
【請求項１】
ハウジングの端子収容孔に圧入して前記端子収容孔の後部を密封する電気コネクタ用防水栓において、前記端子収容孔の周壁面との間を密封する密封部と、該密封部から後方に延在し前記周壁面に吸着する吸着部とから成ることを特徴とする電気コネクタ用防水栓。
【請求項２】
前記吸着部は前記端子収容孔の内径よりも大きい外径の環状部と、該環状部の外周面に凹設した複数の吸盤とから成る請求項１に記載の電気コネクタ用防水栓。
【請求項３】
前記吸着部は前記端子収容孔の内径よりも小さい外径の環状部と、該環状部の外周面に凸設した複数の吸盤とから成る請求項１に記載の電気コネクタ用防水栓。
【発明の詳細な説明】
【０００１】
【発明の属する技術分野】
本発明は、例えば自動車のワイヤハーネスのコネクタに使用され、ハウジングの未使用の端子収容孔を密封する電気コネクタ用防水栓に関するものである。
【０００２】
【従来の技術】
図７に示すように、従来の電気コネクタのハウジング１には複数の端子収容孔２が設けられおり、これらの端子収容孔２には電線３を後部に接続した接続端子４が収容されている。そして、防水型のハウジング１においては、接続端子４が収容されている端子収容孔２に電線３に挿着されたプラグ５が圧入され、接続端子４が収容されていない端子収容孔２には専用のプラグ６が圧入されている。
ところが、このハウジング１を相手側ハウジングと結合した場合、或いはハウジング１の内部の温度が上昇した場合には、密封した端子収容孔２の内部圧力が上昇すると、接続端子４はハウジング１に対して十分な抜け止め対策がなされているので問題はないが、プラグ６は端子収容孔２から飛び出すことがある。このため、プラグ６に合成樹脂製の係止部材７を一体に設け、この係止部材７をハウジング１の前部に位置する係止突起８に係止することにより、プラグ６が端子収容孔２から飛び出すことを防止している。
【０００３】
【発明が解決しようとする課題】
しかしながら、従来のプラグ６は係止部材７を必要としているため、製造コストが高くなるという問題がある。また、係止部材７をハウジング１の前部の係止突起８に係止しているため、相手側のハウジングにこの端子収容孔２内に挿入される接続端子が存在すると、この接続端子が係止部材７に衝突し、ハウジング１と相手側のハウジングとの結合を不可能にするという問題もある。
【０００４】
本発明の目的は、上述の問題点を解消し、係止部材を必要とすることなく、端子収容孔を確実に密封し得る電気コネクタ用防水栓を提供することにある。
【０００５】
【課題を解決するための手段】
上記目的を達成するための本発明に係る電気コネクタ用防水栓は、ハウジングの端子収容孔に圧入して前記端子収容孔の後部を密封する電気コネクタ用防水栓において、前記端子収容孔の周壁面との間を密封する密封部と、該密封部から後方に延在し前記周壁面に吸着する吸着部とから成ることを特徴とする。
【０００６】
【発明の実施の形態】
本発明を図１〜図６に図示の実施例に基づいて詳細に説明する。
図１は例えば自動車のワイヤハーネスに設けられている防水型コネクタの一方のハウジング１１の断面図であり、合成樹脂製のハウジング１１には、複数の端子収容孔１２が例えば上下の２列に形成されている。端子収容孔１２の後部の断面形状は略円形とされ、端子収容孔１２の前部には係止部１３を有する係止アーム１４が設けられている。
【０００７】
必要とされる端子収容孔１２には、電線１５を後部に接続した接続端子１６が収容され、係止アーム１４によりハウジング１１から抜け出さないように係止されている。これらの端子収容孔１２には、電線１５に嵌着されたゴム製の第１のプラグ１７が圧入され、端子収容孔１２の後部が密封されている。そして、接続端子１６が収容されていない端子収容孔１２には、ゴム製の第２のプラグ１８が圧入され、端子収容孔１２の後部が密封されている。
【０００８】
図２は第２のプラグ１８の拡大斜視図であり、第２のプラグ１８には端子収容孔１２の周壁面に密着して周壁面との間を密封する密封部２１と、この密封部２１から後方に延在して端子収容孔１２の周壁面に吸着する吸着部２２と、この吸着部２２から後方に延在して手指などにより保持される軸部２３とから構成されている。密封部２１は例えば２つの比較的幅の狭い波形断面の環状突起２１ａから構成され、環状突起２１ａの外径は端子収容孔１２の内径よりも大きくされている。
【０００９】
ここで、吸着部２２は１つの比較的幅の広い環状突起部２２ａと、この環状突起部２２ａの外周面に形成された例えば４つの凹状の吸盤２２ｂとから構成されている。環状突起部２２ａの外径は端子収容孔１２の内径よりも大きくされ、吸盤２２ｂは周方向に等間隔で形成されている。
【００１０】
図３に示すように第２のプラグ１８をハウジング１１の端子収容孔１２に圧入すると、密封部２１の環状突起２１ａは端子収容孔１２の周壁面によって圧縮されながら前進する。そして、密封部２１の全体が端子収容孔１２に進入した後に、吸着部２２の環状突起部２２ａが端子収容孔１２の周壁面によって圧縮されながら端子収容孔１２に進入し始める。このとき、環状突起部２２ａの外周面が吸盤２２ｂの略底面に一致する程度まで圧縮され、図４の部分拡大図に示すように吸盤２２ｂの内部の空気が矢印方向に排出される。そして、図５に示すように第２のプラグ１８を更に押し込むと、図６に示すように環状突起部２２ａが復元し、吸盤２２ｂの内部に負圧が発生し、吸着部２２は端子収容孔１２の周壁面への吸着力が生ずる。
【００１１】
このように、実施例では第２のプラグ１８に密着部２１と吸着部２２を設けたので、密着部２１により端子収容孔１２を密封できる上に、吸着部２３により端子収容孔１２の周壁面に吸着できる。従って、ハウジング１１が相手側のハウジングと結合した際や端子収容孔１２の内部の温度が上昇した際に、端子収容孔１２の内部の圧力が上昇しても、第２のプラグ１８が端子収容孔１２から飛び出すことはない。また、従来では必要であった合成樹脂製の係止部材が不要となるので、ゴム材料だけから成る第２のプラグ１８の製造コストが低減する上に、ハウジング嵌合時に第２のプラグ１８を収容した端子収容孔１２内に相手側ハウジングに取り付けた雄型の接続端子が入ってきてもハウジング同士を確実に結合できる。
【００１２】
なお、第２のプラグ１８の吸着部２２は端子収容孔１２の内径よりも大きい外径の環状突起部２２ａと、この環状突起部２２ａの外周面に形成した吸盤２２ｂとから構成したが、端子収容孔１２の内径よりも小さい外径の環状突起部に、端子収容孔１２の周壁面に吸着可能な吸盤を突設しても、同様な効果を達成できる。
【００１３】
【発明の効果】
以上説明したように本発明に係る電気コネクタ用防水栓は、密封部により端子収容孔を密封できる上に、吸盤により端子収容孔の周壁面に吸着できる。従って、端子収容孔の内部の圧力が上昇した場合でも、端子収容孔から飛び出すことはなく端子収容孔を確実に密封できる。また、従来の係止部材を必要としないので、製造コストを削減できると共に、端子収容孔に相手側の接続端子の受け入れを可能とする。
【図面の簡単な説明】
【図１】ハウジングに圧入した状態の側面図である。
【図２】斜視図である。
【図３】作用説明図である。
【図４】作用説明図である。
【図５】作用説明図である。
【図６】作用説明図である。
【図７】従来例のハウジングに圧入した状態の側面図である。
【符号の説明】
１１  ハウジング
１２  端子収容孔
１８  第２のプラグ
２１  密封部
２２  吸着部
２２ａ  環状突起部
２２ｂ  吸盤
【図１】
0004008633.tif 000002
【図２】
0004008633.tif 000003
【図３】
0004008633.tif 000004
【図４】
0004008633.tif 000005
【図５】
0004008633.tif 000006
【図６】
0004008633.tif 000007
【図７】
0004008633.tif 000008